(57)【要約】      （修正有）【課題】ジクソーパズルの完成品が壊れることがなく、携帯したりゲーム以外の用途に使用できる機能を付与できる立体ジクソーパズルを提供する。【解決手段】環状体からなる板状の複数のピースを軸方向に係合積層するか、または環状体の一部からなる板状の複数のピース２を周方向に係合連結すると共に、軸方向に係合積層して立体ジクソーパズル１を構成する。さらに、該立体ジクソーパズル１の中空内部１ａに嵌挿されるボルト部材３と、立体ジクソーパズル１の軸方向の一方の端部に配置され、ボルト部材３の頭部３ａの底面３ａ１が回転自在に当接される第１の環状体と、該立体ジクソーパズル１の軸方向の他方の端部に配置され、ボルト部材３の雄ネジ部３ｂに螺合し得る雌ネジ部５ａか形成された第２の環状体５とを有する構成とする。【選択図】図２
0003155523.tif 000002
【実用新案登録請求の範囲】
【請求項１】
環状体からなる板状の複数のピースを軸方向に係合積層するか、または環状体の一部からなる板状の複数のピースを周方向に係合連結すると共に、軸方向に係合積層した立体ジクソーパズルであって、
前記ピースの軸方向の両面に設けられ、軸方向に隣接する互いのピースが係合し得る係合段部と、
前記環状体の一部からなるピースの周方向の両端部及び前記係合段部の周方向の両端部に設けられ、周方向に隣接する互いのピースが係合し得る係合凸部と係合凹部と、
前記環状体からなる複数のピースを前記係合段部を係合させて軸方向に係合積層するか、または前記環状体の一部からなる複数のピースを前記係合凸部と係合凹部とを係合させて周方向に係合連結すると共に、前記係合段部を係合させて軸方向に係合積層した立体ジクソーパズルの中空内部に嵌挿されるボルト部材と、
前記立体ジクソーパズルの軸方向の一方の端部に配置され、前記ボルト部材の頭部の底面が回転自在に当接される第１の環状体と、
前記立体ジクソーパズルの軸方向の他方の端部に配置され、前記ボルト部材の雄ネジ部に螺合し得る雌ネジ部か形成された第２の環状体と、
を有することを特徴とする立体ジクソーパズル。
【請求項２】
前記第１の環状体及び前記第２の環状体に対してそれぞれ着脱可能に設けられ、前記ボルト部材の頭部及び前記ボルト部材の雄ネジ部に螺合し得る雌ネジ部をそれぞれ覆い隠す第１の蓋部材及び第２の蓋部材を有することを特徴とする請求項１に記載の立体ジクソーパズル。
【請求項３】
前記第１の環状体及び前記第２の環状体の軸方向の外面側にそれぞれ穿設された複数の多角形穴と、
前記第１の環状体及び前記第２の環状体の軸方向の外面側の周縁部にそれぞれ設けられた切欠部と、
前記第１の蓋部材及び前記第２の蓋部材のそれぞれの軸方向に設けられ、前記多角形穴に挿入係止し得る円周面を有する複数の突起部と、
を有することを特徴とする請求項２に記載の立体ジクソーパズル。
【請求項４】
前記立体ジクソーパズルの中空内部が貯金箱として構成され、該中空内部に連通する開口部を有すると共に、前記ピースと着脱自在に係合し得る開口部材を有することを特徴とする請求項１〜３の何れか１項に記載の立体ジクソーパズル。
【考案の詳細な説明】
【技術分野】
【０００１】
本考案は、環状体からなる板状の複数のピースを軸方向に係合積層するか、または環状体の一部からなる板状の複数のピースを周方向に係合連結すると共に、軸方向に係合積層した立体ジクソーパズルに関するものである。
【背景技術】
【０００２】
従来のジクソーパズルとしては、１枚の絵を、いくつかのピースと呼ばれる小片に分け、その各辺に円状の凸部または凹部を設けて、それにより隣のピースとかみ合うように構成し、ばらばらにしたものを再び組み立てるというタイプの平面ジクソーパズルがあるが、遊び方に自由度が少ないためゲーム性に乏しいということで、例えば、特許文献１、２に開示されたような立体ジクソーパズルが提案されている。更に難易度が増すように、特許文献３に開示されたように、それぞれのピースが垂直方向に結合して層を成し、それらの層と層とが噛み合って立体物と成っていく立体ジクソーパズルも提案されている。
【先行技術文献】
【特許文献】
【０００３】
【特許文献１】特開平０６−２５４２６３号公報
【特許文献２】特開平１０−２３５０２８号公報
【特許文献３】特開平０９−１５５０６１号公報
【考案の概要】
【考案が解決しようとする課題】
【０００４】
しかしながら、前述の従来例では、ジクソーパズルが完成した後は鑑賞用に静置するものが主流であり、持ち運ぶと完成品が壊れやすく、携帯したりゲーム以外の用途に使用できる機能を有するものはなかった。
【０００５】
本考案は前記課題を解決するものであり、その目的とするところは、ジクソーパズルの完成品が壊れることがなく、携帯したりゲーム以外の用途に使用できる機能を付与できる立体ジクソーパズルを提供せんとするものである。
【課題を解決するための手段】
【０００６】
前記目的を達成するための本考案に係る立体ジクソーパズルの第１の構成は、環状体からなる板状の複数のピースを軸方向に係合積層するか、または環状体の一部からなる板状の複数のピースを周方向に係合連結すると共に、軸方向に係合積層した立体ジクソーパズルであって、前記ピースの軸方向の両面に設けられ、軸方向に隣接する互いのピースが係合し得る係合段部と、前記環状体の一部からなるピースの周方向の両端部及び前記係合段部の周方向の両端部に設けられ、周方向に隣接する互いのピースが係合し得る係合凸部と係合凹部と、前記環状体からなる複数のピースを前記係合段部を係合させて軸方向に係合積層するか、または前記環状体の一部からなる複数のピースを前記係合凸部と係合凹部とを係合させて周方向に係合連結すると共に、前記係合段部を係合させて軸方向に係合積層した立体ジクソーパズルの中空内部に嵌挿されるボルト部材と、前記立体ジクソーパズルの軸方向の一方の端部に配置され、前記ボルト部材の頭部の底面が回転自在に当接される第１の環状体と、前記立体ジクソーパズルの軸方向の他方の端部に配置され、前記ボルト部材の雄ネジ部に螺合し得る雌ネジ部か形成された第２の環状体とを有することを特徴とする。
【０００７】
また、本考案に係る立体ジクソーパズルの第２の構成は、前記第１の構成において、前記第１の環状体及び前記第２の環状体に対してそれぞれ着脱可能に設けられ、前記ボルト部材の頭部及び前記ボルト部材の雄ネジ部に螺合し得る雌ネジ部をそれぞれ覆い隠す第１の蓋部材及び第２の蓋部材を有することを特徴とする。
【０００８】
また、本考案に係る立体ジクソーパズルの第３の構成は、前記第２の構成において、前記第１の環状体及び前記第２の環状体の軸方向の外面側にそれぞれ穿設された複数の多角形穴と、前記第１の環状体及び前記第２の環状体の軸方向の外面側の周縁部にそれぞれ設けられた切欠部と、前記第１の蓋部材及び前記第２の蓋部材のそれぞれの軸方向に設けられ、前記多角形穴に挿入係止し得る円周面を有する複数の突起部とを有することを特徴とする。
【０００９】
また、本考案に係る立体ジクソーパズルの第４の構成は、前記第１〜第３の構成において、前記立体ジクソーパズルの中空内部が貯金箱として構成され、該中空内部に連通する開口部を有すると共に、前記ピースと着脱自在に係合し得る開口部材を有することを特徴とする。
【考案の効果】
【００１０】
本考案に係る立体ジクソーパズルの第１の構成によれば、ボルト部材の頭部の底面が回転自在に当接される第１の環状体の軸方向に環状体からなる複数のピースを係合段部を係合させて軸方向に係合積層するか、または環状体の一部からなる複数のピースを係合凸部と係合凹部とを係合させて周方向に係合連結すると共に、係合段部を係合させて軸方向に係合積層し、更にボルト部材の雄ネジ部に螺合し得る雌ネジ部か形成された第２の環状体を係合積層し、ボルト部材を第１の環状体の貫通穴に挿入すると共に、該ボルト部材の頭部の底面を該第１の環状体に当接させ、複数のピースを係合積層した立体ジクソーパズルの中空内部にボルト部材を嵌挿させ、第２の環状体の雌ネジ部に該ボルト部材の雄ネジ部を螺合締結することにより立体ジクソーパズルの複数のピースを固定することが出来、立体ジクソーパズルの完成品が壊れることがなく、持ち運びが容易で携帯も出来、完成品で遊ぶことも出来る。また、ボルト部材の雄ネジ部と、第２の環状体に形成された雌ネジ部との螺合を解除して立体ジクソーパズルを複数のピースに分解することが出来る。
【００１１】
また、本考案に係る立体ジクソーパズルの第２の構成によれば、第１の蓋部材及び第２の蓋部材をそれぞれ第１の環状体及び第２の環状体に対してそれぞれ装着することによりボルト部材の頭部及び該ボルト部材の雄ネジ部に螺合し得る雌ネジ部をそれぞれ覆い隠すことが出来る。また、第１の蓋部材及び第２の蓋部材をそれぞれ第１の環状体及び第２の環状体から脱離することでボルト部材の雄ネジ部と、第２の環状体に形成された雌ネジ部とを露出させることが出来、両者の螺合を解除して立体ジクソーパズルを複数のピースに分解することが出来る。
【００１２】
また、本考案に係る立体ジクソーパズルの第３の構成によれば、第１の環状体及び第２の環状体の軸方向の外面側にそれぞれ穿設された複数の多角形穴に、第１の蓋部材及び第２の蓋部材のそれぞれの軸方向に設けられた円周面を有する複数の突起部をそれぞれ挿入することで、第１の蓋部材及び第２の蓋部材を第１の環状体及び第２の環状体にそれぞれ係止することが出来る。また、多角形穴と円周面とを係合させることにより第１の蓋部材及び第２の蓋部材を僅かに斜めに倒すことが出来、第１の環状体及び第２の環状体の軸方向の外面側の周縁部にそれぞれ設けられた切欠部に指を挿入し易く、これにより、第１の蓋部材及び第２の蓋部材をそれぞれ第１の環状体及び第２の環状体から取り外し易い。
【００１３】
また、本考案に係る立体ジクソーパズルの第４の構成によれば、複数のピースが固定された立体ジクソーパズルの中空内部が貯金箱として構成され、ピースと着脱自在に係合し得る開口部材の中空内部に連通する開口部からコイン等のお金を挿入することができ、完成した立体ジクソーパズルをゲーム以外の用途に使用できる機能を付与できる。
【図面の簡単な説明】
【００１４】
【図１】本考案に係る立体ジクソーパズルの構成を示す斜視説明図である。
【図２】本考案に係る立体ジクソーパズルの構成を示す分解斜視図である。
【図３】環状体の一部からなる複数のピースを係合凸部と係合凹部とを係合させて周方向に係合連結すると共に、係合段部を係合させて軸方向に係合積層する様子を示す分解斜視図である。
【考案を実施するための形態】
【００１５】
図により本考案に係る立体ジクソーパズルの一実施形態を具体的に説明する。図１において、立体ジクソーパズル１は環状体の一部からなる板状の複数のピース２を周方向に係合連結すると共に、軸方向に係合積層して構成される。
【００１６】
各ピース２には、図２及び図３に示すように、該ピース２の軸方向の両面に設けられ、該軸方向に隣接する互いのピース２が係合し得る係合段部２ａと、環状体の一部からなるピース２の周方向の両端部及び係合段部２ａの周方向の両端部に設けられ、各ピース２の周方向に隣接する互いのピース２が係合し得る係合凸部２ｂと係合凹部２ｃとが設けられる。
【００１７】
環状体の一部からなる複数のピース２を係合凸部２ｂと係合凹部２ｃとを係合させて各ピース２の周方向に係合連結すると共に、係合段部２ａを係合させて各ピース２の軸方向に係合積層して立体ジクソーパズル１が完成する。完成した立体ジクソーパズル１の中空内部１ａには図２に示すように、ボルト部材３が嵌挿される。
【００１８】
立体ジクソーパズル１の軸方向の一方の端部にはボルト部材３の頭部３ａの底面3a1が回転自在に当接される第１の環状体４が配置される。また、立体ジクソーパズル１の軸方向の他方の端部にはボルト部材３の雄ネジ部３ｂに螺合し得る雌ネジ部５ａか形成された第２の環状体５が配置される。
【００１９】
立体ジクソーパズル１を組み立てる場合には、例えば、ボルト部材３の頭部３ａの底面3a1が回転自在に当接される第１の環状体４の軸方向に環状体の一部からなる複数のピース２を係合凸部２ｂと係合凹部２ｃとを係合させて周方向に係合連結すると共に、係合段部２ａを係合させて軸方向に係合積層し、更にボルト部材３の雄ネジ部３ｂに螺合し得る雌ネジ部５ａか形成された第２の環状体５を係合積層し、ボルト部材３を第１の環状体４の貫通穴４ａに挿入すると共に、該ボルト部材３の頭部３ａの底面3a1を該第１の環状体４に当接させ、複数のピース２を係合積層した立体ジクソーパズル１の中空内部１ａにボルト部材３を嵌挿させ、第２の環状体５の雌ネジ部５ａに該ボルト部材３の雄ネジ部３ｂを螺合締結することにより立体ジクソーパズル１の複数のピース２を強固に固定することが出来る。これにより、立体ジクソーパズル１の完成品が壊れることがなく、持ち運びが容易で携帯も出来、完成品で遊ぶことも出来る。また、ボルト部材３の雄ネジ部３ｂと、第２の環状体５に形成された雌ネジ部５ａとの螺合を解除して立体ジクソーパズル１を複数のピースに分解することが出来る。
【００２０】
尚、図示しないが、環状体からなる板状の複数のピースを該ピースの軸方向の両面に設けられ、該ピースの軸方向に隣接する互いのピースが係合し得る係合段部を係合させて軸方向に係合積層することも出来、環状体の一部からなる複数のピース２と適宜組み合わせた構成とすることも出来る。
【００２１】
また、第１の環状体４及び第２の環状体５に対してそれぞれ第１の蓋部材６及び第２の蓋部材７が着脱可能に設けられる。第１の蓋部材６及び第２の蓋部材７はボルト部材３の頭部３ａ及び該ボルト部材３の雄ネジ部３ｂに螺合し得る雌ネジ部５ａをそれぞれ覆い隠すことが出来る。即ち、第１の蓋部材６及び第２の蓋部材６をそれぞれ第１の環状体４及び第２の環状体５に対してそれぞれ装着することによりボルト部材３の頭部３ａ及び該ボルト部材３の雄ネジ部３ｂに螺合し得る雌ネジ部５ａをそれぞれ覆い隠すことが出来る。また、第１の蓋部材６及び第２の蓋部材６をそれぞれ第１の環状体４及び第２の環状体５から脱離することでボルト部材３の雄ネジ部３ｂと、第２の環状体５に形成された雌ネジ部５ａとを露出させることが出来、両者の螺合を解除して立体ジクソーパズル１を複数のピース２に分解することが出来る。
【００２２】
第１の環状体４及び第２の環状体５の軸方向の外面側にはそれぞれ複数の多角形穴となる六角形穴4b1，4b2，5b1，5b2が穿設されており、該第１の環状体４及び第２の環状体５の軸方向の外面側の周縁部にはそれぞれ切欠部４ｃ，５ｃが設けられている。また、第１の蓋部材６及び第２の蓋部材７のそれぞれの軸方向には前記多角形穴となる六角形穴4b1，4b2，5b1，5b2に挿入係止し得る円周面を有する複数の突起部6a1，6a2，7a1，7a2が設けられている。
【００２３】
第１の環状体４及び第２の環状体５の軸方向の外面側にそれぞれ穿設された複数の多角形穴となる六角形穴4b1，4b2，5b1，5b2に、第１の蓋部材６及び第２の蓋部材７のそれぞれの軸方向に設けられた円周面を有する複数の突起部6a1，6a2，7a1，7a2をそれぞれ挿入することで、第１の蓋部材６及び第２の蓋部材７を第１の環状体４及び第２の環状体５にそれぞれ係止することが出来る。また、六角形穴4b1，4b2，5b1，5b2等の多角形穴と円周面とを係合させることにより第１の蓋部材６及び第２の蓋部材７を僅かに斜めに倒すことが出来、第１の環状体４及び第２の環状体５の軸方向の外面側の周縁部にそれぞれ設けられた切欠部４ｃ，５ｃに指を挿入し易く、これにより、第１の蓋部材６及び第２の蓋部材７をそれぞれ第１の環状体４及び第２の環状体５から取り外し易い。
【００２４】
本実施形態では、立体ジクソーパズル１の外観は豚をデザインしたものであり、その中空内部１ａが貯金箱として構成される。そして、所定のピース２の一部に設けられた係合溝２ｄと着脱自在に係合し得る開口部材８には立体ジクソーパズル１の中空内部１ａに連通する開口部８ａが設けられている。
【００２５】
本実施形態では、複数のピース２が固定された立体ジクソーパズル１の中空内部１ａが貯金箱として構成され、所定のピース２の一部に設けられた係合溝２ｄと着脱自在に係合し得る開口部材８の中空内部１ａに連通する開口部８ａからコイン等のお金を挿入することができ、完成した立体ジクソーパズル１をゲーム以外の用途に使用できる機能を付与できる。立体ジクソーパズル１の中空内部１ａに投入したお金を取り出す場合には、前述したように、第１の環状体４及び第２の環状体５の軸方向の外面側の周縁部にそれぞれ設けられた切欠部４ｃ，５ｃに指を挿入して、第１の蓋部材６及び第２の蓋部材７をそれぞれ第１の環状体４及び第２の環状体５から取り外し、ボルト部材３の雄ネジ部３ｂと、第２の環状体５に形成された雌ネジ部５ａとを露出させて、両者の螺合を解除して立体ジクソーパズル１を複数のピース２に分解してお金を取り出すことが出来る。
【００２６】
尚、立体ジクソーパズル１は他の種々の形状やデザインで構成でき、立体ジクソーパズル１の中空内部１ａの機能、或いは立体ジクソーパズル１自体の機能も種々な機能を付与して構成することが出来る。
【産業上の利用可能性】
【００２７】
本考案の活用例として、環状体からなる板状の複数のピースを軸方向に係合積層するか、または環状体の一部からなる板状の複数のピースを周方向に係合連結すると共に、軸方向に係合積層した立体ジクソーパズルに適用できる。
【符号の説明】
【００２８】
１    …立体ジクソーパズル
１ａ  …中空内部
２    …ピース
２ａ  …係合段部
２ｂ  …係合凸部
２ｃ  …係合凹部
２ｄ  …係合溝
３    …ボルト部材
３ａ  …頭部
3a1   …底面
３ｂ…雄ネジ部
４    …第１の環状体
４ａ  …貫通穴
4b1，4b2 …六角形穴(多角形穴）
４ｃ …切欠部
５    …第２の環状体
５ａ  …雌ネジ部
5b1，5b2 …六角形穴(多角形穴）
５ｃ …切欠部
６    …第１の蓋部材
6a1，6a2 …突起部
７    …第２の蓋部材
7a1，7a2 …突起部
８    …開口部材
８ａ  …開口部
【図１】
0003155523.tif 000003
【図２】
0003155523.tif 000004
【図３】
0003155523.tif 000005